(57)【要約】      （修正有）【課題】簡単且つ確実に識別可能なファイル名を画像ファイルに付与する。【解決手段】医療画像保存システムは、画像データを生成する画像生成手段と、画像データが生成された日時をカウントするカウンタと、カウントされた日時データを読み出し、その日時データに基づき画像データのファイル名を生成するファイル名生成手段と、生成されたファイル名で画像データを保存する画像保存手段とで構成される。【選択図】図１
2005128972.tif 000002
【特許請求の範囲】
【請求項１】
画像データを生成する画像生成手段と、
前記画像データが生成された日時をカウントするカウンタと、
前記カウンタによりカウントされた日時データを読み出し、読み出した前記日時データに基づき前記画像データのファイル名を生成するファイル名生成手段と、
前記ファイル名生成手段が生成した前記ファイル名で前記画像データを保存する画像保存手段と
を備えたことを特徴とする医療画像保存システム。
【請求項２】
前記画像データは患者の医療画像であって、
前記患者を識別する患者ＩＤを入力する入力手段を有し、
前記ファイル名は、前記患者ＩＤを反映させたコードを含む
ことを特徴とする請求項１に記載の医療画像保存システム。
【請求項３】
前記ファイル名は、前記ファイル名生成手段を有する装置を識別する装置ＩＤを反映させたコードを含む
ことを特徴とする請求項１または２に記載の医療画像保存システム。
【発明の詳細な説明】
【技術分野】
【０００１】
本発明は、画像データを保存する医療画像保存システムに関する。
【背景技術】
【０００２】
通常、手術は手術室の術者が患者に対して手術を行うが、例えば手術室の術者が過去に経験の少ない手術を行うことが必要となる場合には、その手術に詳しい遠隔地（院内においても手術室とは離れた位置に設置させた例えばカンファレンス室）にいる術者（遠隔支援術者）に回線で接続して、手術中に遠隔支援手術者による切除する部分の指示等を受けられるように遠隔支援のもとに手術室の術者が手術を行うようにすることにより、手術室の患者に対して適切な手術を行うことができるように支援するシステムが考えられ、このような遠隔支援システムが例えば特開２００２−３０６５０９号公報等に提案されている。
【０００３】
このような支援システムにおいては、手術室での手技画像が記録される。例えば内視鏡装置を用いて患部を観察したり、処置をした際の内視鏡画像が院内サーバ等に記録され、支援システムが構築されている院内のカンファレンス室の支援装置で術後に該内視鏡画像を再生し、手技についての事後の指導等が行われる。
【０００４】
このような場合、内視鏡装置のコントロールユニットは、内視鏡画像を識別可能とするために該内視鏡画像のデータファイルである画像ファイルに独自のファイル名を付与して院内サーバに伝送して、院内サーバがこのファイル名に基づき画像ファイルを管理する。
【特許文献１】特開２００２−３０６５０９号公報
【発明の開示】
【発明が解決しようとする課題】
【０００５】
しかしながら、支援システムが構築されている病院は、複数の手術室で同時に手技がなされ、また１つの手術室においても１日に複数の手技がなされるため、画像ファイルにファイル名を付与して院内サーバに記録する場合には、ファイル名が重複することなく院内サーバ内のファイル名を検索する必要がある。さらには、ファイル名を重複させないような特殊な名称を付与すると、事後のファイル検索が煩雑になると行った問題がある。
【０００６】
本発明は、上記事情に鑑みてなされたものであり、簡単且つ確実に識別可能なファイル名を画像ファイルに付与することのできる医療画像保存システムを提供することを目的としている。
【課題を解決するための手段】
【０００７】
本発明の医療画像保存システムは、画像データを生成する画像生成手段と、前記画像データが生成された日時をカウントするカウンタと、前記カウンタによりカウントされた日時データを読み出し読み出した前記日時データに基づき前記画像データのファイル名を生成するファイル名生成手段と、前記ファイル名生成手段が生成した前記ファイル名で前記画像データを保存する画像保存手段とを備えて構成される。
【発明の効果】
【０００８】
本発明によれば、簡単且つ確実に識別可能なファイル名を画像ファイルに付与することができるという効果がある。
【発明を実施するための最良の形態】
【０００９】
以下、図面を参照しながら本発明の実施例について述べる。
【実施例１】
【００１０】
図１ないし図１７は本発明の実施例１に係わり、図１は医療情報処理システムの構成を示す構成図、図２は図１の第２のコントローラによる画像ファイル名の第１のファイル名付与方法の流れを示すフローチャート、図３は図２の処理によるファイル名の一例を示す図、図４は図１の第２のコントローラによる画像ファイル名の第１のファイル名付与方法の変形例の流れを示すフローチャート、図５は図４の処理によるファイル名の一例を示す図、図６は図１の第２のコントローラによる画像ファイル名の第２のファイル名付与方法の流れを示すフローチャート、図７は図６の処理によるファイル名の一例を示す図、図８は図１の第２のコントローラによる画像ファイル名の第２のファイル名付与方法の変形例の流れを示すフローチャート、図９は図８の処理によるファイル名の一例を示す図、図１０は図１の第２のコントローラによる画像ファイル名の第３のファイル名付与方法の流れを示すフローチャート、図１１は図１０の処理によるファイル名の一例を示す第１の図、図１２は図１０の処理によるファイル名の一例を示す第２の図、図１３は図１０の処理によるファイル名の一例を示す第３の図、図１４は図１の第２のコントローラによる画像ファイル名の第３のファイル名付与方法の変形例の流れを示すフローチャート、図１５は図１４の処理によるファイル名の一例を示す第１の図、図１６は図１４の処理によるファイル名の一例を示す第２の図、図１７は図１４の処理によるファイル名の一例を示す第３の図である。
【００１１】
図１に示すように、本実施例で採用する医療情報処理システムは、手術室等の拠点に設置され、手術室等で発生する各種医療情報を得る第１のコントローラ１と、前記手術室とは遠隔地点に設置され、前記第１のコントローラ１で得られた各種医療処置情報を集積しカルテを生成する手術部サーバ２と、前記手術部サーバ２とは別の拠点に設置され、前記手術部サーバ２で得られたカルテ情報を参照する患者情報蓄積手段としての院内サーバ３と、手術室での手技を支援する手術室とは遠隔地点に設置されたカンファレンス室に設けられて支援装置１００とを有して構成され、前記第１のコントローラ１、支援装置１００と前記手術部サーバ２との間及び前記手術部サーバ２と前記院内サーバ３との間は、それぞれ第１、第２の通信回線４，５で接続される。なお、前記各通信回線４，５は、公衆回線、専用回線、ＬＡＮ（構内通信網）等のどのような通信回線でもよい。又、前記院内サーバ３は、前記手術部サーバ２と同一拠点に配置されていても良い。
【００１２】
第２のコントローラ１４は、患者の体腔内等の被検部位を撮像し内視鏡画像を含む映像信号を得る内視鏡装置１１と、この内視鏡装置１１で得られた映像信号を描出する表示装置１２と、例えば電気メス装置、気腹装置、超音波手術装置等の手術装置１３と、日時をカウントするカウンタ５１と、内視鏡装置１１で得られた画像データを後述する方法によりファイル名を付与して画像ファイルとしてデジタル記憶する記憶装置５２とを備え、前記手術装置１３を制御したり、内視鏡装置１１からの内視鏡画像データや前記手術装置１３による測定情報等の手術装置情報を得る。
【００１３】
この第２のコントローラ１４には、前記手術装置１３に対する制御指示等を前記第２のコントローラ１４へ入力するためのタッチパネル１５等の手術装置制御入力手段が接続されている。
【００１４】
前記第２のコントローラ１４から与えられる内視鏡画像データ、手術装置情報及び生体モニタリング装置１９から得られる患者情報は、通信回線を介して第１のコントローラ１に集積され、他の拠点に設定されている手術部サーバ２へ通信回線４を介して伝送される。
【００１５】
また、前記内視鏡装置１１から得られた映像信号と、手術室内の風景を撮像する室内カメラ２０から得た映像信号は、第１のコントローラ１を介して信号伝送装置１７に入力され、通信回線６を介して外部に伝送される。
【００１６】
また、手術室には第１のコントローラ１が得た手術装置情報、及び手術部サーバ２から得た患者情報や、前記信号伝送装置１７が他拠点から受信した情報を表示する表示装置１８等が配設されている。
【００１７】
第１のコントローラ１には、入力装置１ａが接続されている。この入力装置１ａは、キーボード、磁気カードリーダ、光カードリーダ、ＩＣカードリーダ等であり、この入力装置１ａを用いて患者に関するカルテナンバー（ＩＤナンバー）及び氏名等の患者情報や手技名、術者ＩＤ等の手技情報を入力する。この場合、患者情報、手技情報を第１のコントローラ１から第２のコントローラ１４へ送信するようにする。
【００１８】
なお、入力装置１ａは第２のコントローラ１４に接続されていてもよい。入力装置１ａを第２のコントローラ１４に接続した場合、患者情報、手技情報を第２のコントローラ１４から第１のコントローラ１へ送信するようにする。
【００１９】
手術部サーバ２は、通信回線５を介して院内サーバ３及びＷＥＢサーバ２１と接続されている。尚、前記ＷＥＢサーバ２１はインターネットを介して病院外とも接続されている。
【００２０】
院内サーバ３には、病院の患者登録端末２２からの患者登録情報と、当該患者に関連する術前画像、術中画像等の医療画像（ＭＲ、ＣＴ、Ｘ線画像等）及び手技に関連する関連画像（内視鏡静止画像、内視鏡動画像）が蓄積されている。手術部サーバ２は、手術を行う患者の氏名や生年月日、診療記録などの登録情報及び患者に係わる医療画像を、前記院内サーバ３から通信回線５を介して読み出すことができるようになっている。
【００２１】
本実施例の第２のコントローラ１４は、内視鏡装置１１で得られた画像をデジタル記録することが可能となっており、以下の複数の方法に従って、ファイル名を付与してデジタル記録を行う。なお、この方法設定は第２のコントローラ１４で任意に設定可能である。
【００２２】
（１）第１のファイル名付与方法：
入力装置１ａにより患者を識別する患者ＩＤ等が入力されずにファイル名を付与する場合、あるいは患者ＩＤは入力されているが患者ＩＤをファイル名に反映させない場合、この第１のファイル名付与方法が設定される。本方法でのファイル名付与は、ファイル名には日時情報しか反映されないため、高いセキュリティを保持することが可能となる。
【００２３】
図２に示すように、手技が開始されると、ステップＳ１でｎを１に設定し、ステップＳ２で画像ファイルの第ｎ回目の記録開始が指示されると記録開始時間及び記録回数番号を記録する。そして、ステップＳ３で画像ファイルの第ｎ回目の記録終了が指示されると記録開始時間及び記録回数番号に従ったファイル名を生成し第ｎ回目の画像ファイルのファイル名とし、ステップＳ４でｎをインクリメントする。そして、ステップＳ５で手技が終了したかどうかを判断し、手技が終了した場合は処理を終了し、手技が終了していない場合はステップＳ２に戻る。
【００２４】
この結果、１回の手技で複数回の画像ファイルが撮像された際のファイル名は例えば、第１回目の記録開始時間が２００３年２月１０日１４時１２分の場合、図３に示すようになる。ここで「2003-02-10-14-12」は記録開始時間を、「000x」は該手技で記録した画像ファイルの順番を示している。
【００２５】
なお、図２に限らず、図４のように処理してもよい。すなわち、ステップＳ１１で画像ファイルの記録開始が指示されると記録開始時間を記録する。そして、ステップＳ１２で画像ファイルの記録終了が指示されると、記録開始時間に従ったファイル名を生成し該画像ファイルのファイル名とし、ステップＳ１３で手技が終了したかどうかを判断し、手技が終了した場合は処理を終了し、手技が終了していない場合はステップＳ１１に戻る。
【００２６】
この場合は、ファイル名は手技に関係なく時間のみにより生成され、図５のようになる。ここで、「2003-02-10-14-12」、「2003-02-10-14-25」等が記録開始時間を示している。
【００２７】
（２）第２のファイル名付与方法：
患者ＩＤは入力され、患者ＩＤをファイル名に反映させる場合、この第２のファイル名付与方法が設定される。本方法の場合は、ファイル名に患者ＩＤが反映されるので、患者ＩＤで容易に画像ファイルを検索することができる。
【００２８】
図６に示すように、手技が開始されると、ステップＳ３１で入力装置１ａによって入力された患者ＩＤを読み出し、ステップＳ３２でｎを１に設定し、ステップＳ３３で画像ファイルの第ｎ回目の記録開始が指示されると記録開始時間及び記録回数番号を記録する。そして、ステップＳ３４で画像ファイルの第ｎ回目の記録終了が指示されると記録開始時間及び記録回数番号に患者ＩＤを付加したファイル名を生成し第ｎ回目の画像ファイルのファイル名とし、ステップＳ３５でｎをインクリメントする。そして、ステップＳ３６で手技が終了したかどうかを判断し、手技が終了した場合は処理を終了し、手技が終了していない場合はステップＳ３３に戻る。
【００２９】
この結果、１回の手技で複数回の画像ファイルが撮像された際のファイル名は例えば、患者ＩＤが”ＯＬ１２３４５６”で第１回目の記録開始時間が２００３年２月１０日１４時１２分の場合、図７に示すようになる。ここで「OL123456」は患者ＩＤを、「2003-02-10-14-12」は記録開始時間を、「000x」は該手技で記録した画像ファイルの順番を示している。
【００３０】
なお、図６に限らず、図８のように処理してもよい。すなわち、ステップＳ４１で入力装置１ａによって入力された患者ＩＤを読み出し、ステップＳ４２で画像ファイルの記録開始が指示されると記録開始時間を記録する。そして、ステップＳ４３で画像ファイルの記録終了が指示されると記録開始時間に患者ＩＤを付加したファイル名を生成し該画像ファイルのファイル名とし、ステップＳ４４で手技が終了したかどうかを判断し、手技が終了した場合は処理を終了し、手技が終了していない場合はステップＳ４２に戻る。
【００３１】
この場合は、図９のようなファイル名になり、ここで、「OL123456」は患者ＩＤを、「2003-02-10-14-12」は記録開始時間を示している。
【００３２】
（３）第３のファイル名付与方法：
入力装置１ａにより患者を識別する患者ＩＤ等が入力されずにファイル名を付与する場合、あるいは患者ＩＤは入力されているが患者ＩＤをファイル名に反映させない場合であって、さらに手技を行う術者の識別コードである術者ＩＤ及び／またはファイル名を生成する第２のコントローラ１４の装置ＩＤをファイル名に反映させる場合、この第３のファイル名付与方法が設定される。第３のファイル名付与方法は、院内に複数の手術室があって、同時に手技がなされる場合に特に有益である。
【００３３】
図１０に示すように、手技が開始されると、ステップＳ５１で装置ＩＤ及び／または入力装置１ａによって入力された術者ＩＤを読み出し、ステップＳ５２でｎを１に設定し、ステップＳ５３で画像ファイルの第ｎ回目の記録開始が指示されると記録開始時間及び記録回数番号を記録する。そして、ステップＳ５４で画像ファイルの第ｎ回目の記録終了が指示されると記録開始時間及び記録回数番号に装置ＩＤ及び／または術者ＩＤを付加したファイル名を生成し第ｎ回目の画像ファイルのファイル名とし、ステップＳ５５でｎをインクリメントする。そして、ステップＳ５６で手技が終了したかどうかを判断し、手技が終了した場合は処理を終了し、手技が終了していない場合はステップＳ５３に戻る。
【００３４】
この結果、１回の手技で複数回の画像ファイルが撮像された際のファイル名は例えば、装置ＩＤが”ＸＹＺ０１２３”、術者ＩＤが”ｔａｒｏ−ｔａｎａｋａ”で第１回目の記録開始時間が２００３年２月１０日１４時１２分の場合、図１１ないし図１３に示すようになる。図１１は装置ＩＤをファイル名に反映させた場合、図１２は術者ＩＤをファイル名に反映させた場合、図１３は装置ＩＤ及び術者ＩＤをファイル名に反映させた場合を示す。
【００３５】
ここで「XYZ0123」は装置ＩＤを、「taro-tanaka」は術者ＩＤを、「2003-02-10-14-12」は記録開始時間を、「000x」は該手技で記録した画像ファイルの順番を示している。
【００３６】
なお、図１０に限らず、図１４のように処理してもよい。すなわち、ステップＳ６１で装置ＩＤ及び／または入力装置１ａによって入力された術者ＩＤを読み出し、ステップＳ６２で画像ファイルの記録開始が指示されると記録開始時間を記録する。そして、ステップＳ６３で画像ファイルの記録終了が指示されると記録開始時間に装置ＩＤ及び／または術者ＩＤを付加したファイル名を生成し該画像ファイルのファイル名とし、ステップＳ６４で手技が終了したかどうかを判断し、手技が終了した場合は処理を終了し、手技が終了していない場合はステップＳ６２に戻る。処理を終了する。
【００３７】
この場合は、図１５ないし図１７のようなファイル名になり、図１５は装置ＩＤをファイル名に反映させた場合、図１６は術者ＩＤをファイル名に反映させた場合、図１７は装置ＩＤ及び術者ＩＤをファイル名に反映させた場合を示す。ここで、「XYZ0123」は装置ＩＤを、「taro-tanaka」は術者ＩＤを、「2003-02-10-14-12」は記録開始時間を示している。
【００３８】
第３のファイル名付与方法においても、第２のファイル名付与方法のように患者ＩＤをファイル名に反映させるようにしてよい。
【００３９】
なお、上記説明ではファイル名の付与は第２のコントローラ１４が行うとしたが、これに限らず、第１のコントローラ１、あるいは手術部サーバ２が付与して画像をデジタル記録してもよい。
【００４０】
このように本実施例では、内視鏡装置１１で得られた画像をデジタル記録する際に、少なくとも記録時の時刻を基にファイル名を自動的に生成して記録するので、簡単且つ確実に識別可能なファイル名を画像ファイルに付与することができる。
【００４１】
本発明は、上述した実施例に限定されるものではなく、本発明の要旨を変えない範囲において、種々の変更、改変等が可能である。
【図面の簡単な説明】
【００４２】
【図１】本発明の実施例１に係る医療情報処理システムの構成を示す構成図
【図２】図１の第２のコントローラによる画像ファイル名の第１のファイル名付与方法の流れを示すフローチャート
【図３】図２の処理によるファイル名の一例を示す図
【図４】図１の第２のコントローラによる画像ファイル名の第１のファイル名付与方法の変形例の流れを示すフローチャート
【図５】図４の処理によるファイル名の一例を示す図
【図６】図１の第２のコントローラによる画像ファイル名の第２のファイル名付与方法の流れを示すフローチャート
【図７】図６の処理によるファイル名の一例を示す図
【図８】図１の第２のコントローラによる画像ファイル名の第２のファイル名付与方法の変形例の流れを示すフローチャート
【図９】図８の処理によるファイル名の一例を示す図
【図１０】図１の第２のコントローラによる画像ファイル名の第３のファイル名付与方法の流れを示すフローチャート
【図１１】図１０の処理によるファイル名の一例を示す第１の図
【図１２】図１０の処理によるファイル名の一例を示す第２の図
【図１３】図１０の処理によるファイル名の一例を示す第３の図
【図１４】図１の第２のコントローラによる画像ファイル名の第３のファイル名付与方法の変形例の流れを示すフローチャート
【図１５】図１４の処理によるファイル名の一例を示す第１の図
【図１６】図１４の処理によるファイル名の一例を示す第２の図
【図１７】図１４の処理によるファイル名の一例を示す第３の図
【符号の説明】
【００４３】
１…第１のコントローラ
１ａ…入力装置（入力手段）
２…手術部サーバ
３…院内サーバ（患者情報蓄積手段）
４，５…通信回路
１１…内視鏡装置
１２…表示装置
１３…手術装置
１４…第２のコントローラ
代理人    弁理士    伊藤  進
【図１】
2005128972.tif 000003
【図２】
2005128972.tif 000004
【図３】
2005128972.tif 000005
【図４】
2005128972.tif 000006
【図５】
2005128972.tif 000007
【図６】
2005128972.tif 000008
【図７】
2005128972.tif 000009
【図８】
2005128972.tif 000010
【図９】
2005128972.tif 000011
【図１０】
2005128972.tif 000012
【図１１】
2005128972.tif 000013
【図１２】
2005128972.tif 000014
【図１３】
2005128972.tif 000015
【図１４】
2005128972.tif 000016
【図１５】
2005128972.tif 000017
【図１６】
2005128972.tif 000018
【図１７】
2005128972.tif 000019